(57)【要約】【課題】製本された冊子の見開きページにおいて、見やすい位置に写真やテキストを印刷させることができる、レイアウト編集手法を提供する。【解決手段】本発明のレイアウト編集装置は、印刷物が綴じられることで製本される場合の、印刷物におけるレイアウトを、表示手段に表示されるレイアウト編集領域において編集可能なレイアウト編集装置である。本発明のレイアウト編集装置は、レイアウト編集領域において、オブジェクトの配置を禁止するための配置禁止領域を、複数の印刷物が綴じられる部分に対応する位置に、製本に関する情報に基づくサイズで決定する決定手段と、オブジェクトを、決定手段により決定された配置禁止領域に重ならないように配置する配置手段と、を備えることを特徴とする。【選択図】図８
2018019330.tif 000002
【特許請求の範囲】
【請求項１】
印刷物が綴じられることで製本される場合の、前記印刷物におけるレイアウトを、表示手段に表示されるレイアウト編集領域において編集可能なレイアウト編集装置であって、
前記レイアウト編集領域において、オブジェクトの配置を禁止するための配置禁止領域を、前記複数の印刷物が綴じられる部分に対応する位置に、前記製本に関する情報に基づくサイズで決定する決定手段と、
前記オブジェクトを、前記決定手段により決定された前記配置禁止領域に重ならないように配置する配置手段と、
を備えることを特徴とするレイアウト編集装置。
【請求項２】
ユーザの指示に応じて前記オブジェクトを移動した場合、前記オブジェクトが前記配置禁止領域と重なるか否かを判定する判定手段と、
前記移動されたオブジェクトが前記配置禁止領域と重なる場合、前記配置手段は、前記オブジェクトを前記配置禁止領域と重ならないように配置する
ことを特徴とする請求項１に記載のレイアウト編集装置。
【請求項３】
前記オブジェクトが前記配置禁止領域に重なる場合、前記オブジェクトを前記配置禁止領域に重なる位置に配置することができないことを示す警告メッセージを前記表示手段に表示させる警告表示手段をさらに備える
ことを特徴とする請求項２に記載のレイアウト編集装置。
【請求項４】
前記製本に関する情報は、複数の見開きページの綴じ方、綴じられる見開きページの枚数、前記見開きページのサイズ、前記見開きページが印刷される用紙の種類のうち少なくとも１つに関する情報である
ことを特徴とする請求項１から３のいずれか１項に記載のレイアウト編集装置。
【請求項５】
前記オブジェクトは、テキストボックス、画像、図形オブジェクトのうち少なくとも１つである
ことを特徴とする請求項１から４のいずれか１項に記載のレイアウト編集装置。
【請求項６】
前記配置禁止領域は、前記オブジェクトとしての前記テキストボックスの配置が禁止され、前記画像の配置は許容される領域である
ことを特徴とする請求項５に記載のレイアウト編集装置。
【請求項７】
前記配置手段は、
前記テキストボックスまたは前記画像がユーザの指示により移動することで前記配置禁止領域と重なる場合、前記テキストボックスが重なった場合、前記テキストボックスを前記配置禁止領域と重ならないように配置し、前記画像が重なった場合、前記画像を前記配置禁止領域と重なる位置に配置する
ことを特徴とする請求項６に記載のレイアウト編集装置。
【請求項８】
前記オブジェクトの幅の最大値は、前記レイアウト編集領域の幅から前記配置禁止領域の幅を差し引いた値の半分に対応する値である
ことを特徴とする請求項１から７のいずれか１項に記載のレイアウト編集装置。
【請求項９】
前記配置手段は、テキストボックスに含まれているテキストが前記オブジェクトとして前記配置禁止領域と重ならず、前記テキストボックスにおける前記テキストに対応しない部分の前記配置禁止領域への重なりは許容されるように、前記テキストボックスを配置する
ことを特徴とする請求項１から４のいずれか１項に記載のレイアウト編集装置。
【請求項１０】
前記配置手段は、
前記テキストボックスに含まれている前記テキストに対応する部分が前記配置禁止領域と重なる場合、前記テキストに含まれる文字の間隔を拡げることにより、前記テキストが前記配置禁止領域に重ならないように、前記テキストボックスを配置する
ことを特徴とする請求項９に記載のレイアウト編集装置。
【請求項１１】
前記レイアウト編集領域は、複数の見開きページが印刷された前記複数の印刷物が、前記複数の見開きページのそれぞれに含まれる複数のページ間の境界で綴じられることで製本される場合の、前記見開きページに対応する領域であり、
前記配置手段は、前記見開きページにおける前記複数のページ間の境界に対応する位置に、前記製本に関する情報に基づくサイズで決定する
ことを特徴とする請求項１から１０のいずれか１項に記載のレイアウト編集装置。
【請求項１２】
印刷物が綴じられることで製本される場合の、前記印刷物におけるレイアウトを、表示手段に表示されるレイアウト編集領域において編集するためのレイアウト編集方法であって、
前記レイアウト編集領域において、オブジェクトの配置を禁止するための配置禁止領域を、前記複数の印刷物が綴じられる部分に対応する位置に、前記製本に関する情報に基づくサイズで決定する決定工程と、
前記オブジェクトを、前記決定工程において決定された前記配置禁止領域に重ならないように配置する配置工程と、
を備えることを特徴とするレイアウト編集方法。
【請求項１３】
印刷物が綴じられることで製本される場合の、前記印刷物におけるレイアウトを、表示手段に表示されるレイアウト編集領域において編集可能なレイアウト編集装置を、
前記レイアウト編集領域において、オブジェクトの配置を禁止するための配置禁止領域を、前記複数の印刷物が綴じられる部分に対応する位置に、前記製本に関する情報に基づいて決定する決定手段と、
前記オブジェクトを、前記決定手段により決定された前記配置禁止領域に重ならないように配置する配置手段と、
として機能させるためのプログラム。
【請求項１４】
前記レイアウト編集装置を更に、
ユーザの指示に応じて前記オブジェクトを移動した場合、前記オブジェクトが前記配置禁止領域と重なるか否かを判定する判定手段と、
として機能させ
前記移動されたオブジェクトが前記配置禁止領域と重なる場合、前記配置手段は、前記オブジェクトを前記配置禁止領域と重ならないように配置する
ことを特徴とする請求項１３に記載のプログラム。
【請求項１５】
前記オブジェクトが前記配置禁止領域に重なる場合、前記オブジェクトを前記配置禁止領域に重なる位置に配置することができないことを示す警告メッセージを前記表示手段に表示させる警告表示手段として前記レイアウト編集装置を更に機能させるための請求項１４に記載のプログラム。
【請求項１６】
前記製本に関する情報は、複数の見開きページの綴じ方、綴じられる見開きページの枚数、前記見開きページのサイズ、前記見開きページが印刷される用紙の種類のうち少なくとも１つに関する情報である
ことを特徴とする請求項１３から１５のいずれか１項に記載のプログラム。
【請求項１７】
前記オブジェクトは、テキストボックス、画像、図形オブジェクトのうち少なくとも１つである
ことを特徴とする請求項１３から１６のいずれか１項に記載のプログラム。
【請求項１８】
前記配置禁止領域は、前記オブジェクトとしての前記テキストボックスの配置が禁止され、前記画像の配置は許容される領域である
ことを特徴とする請求項１７に記載のプログラム。
【請求項１９】
前記配置手段は、
前記テキストボックスまたは前記画像がユーザの指示により移動することで前記配置禁止領域と重なる場合、前記テキストボックスが重なった場合には、前記テキストボックスを前記配置禁止領域と重ならないように配置し、前記画像が重なった場合には、前記画像を前記配置禁止領域と重なる位置に配置する
ことを特徴とする請求項１８に記載のプログラム。
【請求項２０】
前記オブジェクトの幅の最大値は、前記レイアウト編集領域の幅から前記配置禁止領域の幅を差し引いた値の半分に対応する値である
ことを特徴とする請求項１３から１９のいずれか１項に記載のプログラム。
【請求項２１】
前記配置手段は、テキストボックスに含まれているテキストに対応する部分が前記オブジェクトとして前記配置禁止領域と重ならず、前記テキストボックスにおける前記テキストに対応しない部分の前記配置禁止領域への重なりは許容されるように、前記テキストボックスを配置する
ことを特徴とする請求項１３から１６のいずれか１項に記載のプログラム。
【請求項２２】
前記配置手段は、
前記テキストボックスに含まれている前記テキストに対応する部分が前記配置禁止領域と重なる場合、前記テキストに含まれる文字の間隔を拡げることにより、前記テキストが前記配置禁止領域に重ならないように、前記テキストボックスを配置する
ことを特徴とする請求項２０に記載のプログラム。
【請求項２３】
前記レイアウト編集領域は、複数の見開きページが印刷された前記複数の印刷物が、前記複数の見開きページのそれぞれに含まれる複数のページ間の境界で綴じられることで製本される場合の、前記見開きページに対応する領域であり、
前記配置手段は、前記見開きページにおける前記複数のページ間の境界に対応する位置に、前記製本に関する情報に基づいて決定する
ことを特徴とする請求項１３から２２のいずれか１項に記載のプログラム。
【発明の詳細な説明】
【技術分野】
【０００１】
本発明は、製本される印刷物のレイアウトを編集可能なレイアウト編集装置、レイアウト編集方法、およびプログラムに関する。
【背景技術】
【０００２】
製本される印刷物のレイアウト編集を支援するシステムが知られている。このようなシステムの１つとして、フォトアルバム／注文システムが実用化されている。フォトアルバム作成／注文システムでは、ユーザが、マウスなどのポインティングデバイスなどを用いて、情報処理装置（ＰＣ）のディスプレイに表示される画面上で、レイアウトの編集を行うことができる。例えば、イメージオブジェクトの入れ替え、配置、拡大縮小、トリミング、およびテキストボックスへのテキストの入力、配置、拡大縮小などのレイアウト編集を行うことができる。レイアウト編集が完了した編集データは、事業者のサーバにアップロードされ、事業者の画像形成装置によって印刷物が出力される。出力された印刷物は、画像形成装置または手作業によって冊子形式のフォトアルバムに製本される。
【０００３】
フォトアルバム作成／注文システムでは、オブジェクトが、連続するページに跨がって配置されないようにレイアウト編集が行われることが要求される場合がある。これは、フォトアルバム作成／注文システムでは、見開きページ単位でレイアウト編集が行われる場合が多いからである。例えばオブジェクトとしてのテキストが見開きページに跨がって配置されてしまうと、製本されたフォトアルバムにおいて、見開きページの折り目にテキストが印刷されてしまうことがある。
【０００４】
特許文献１には、連続するページの境界を考慮し、連続するページを跨がないようにオブジェクトを適切な位置に配置するレイアウト編集手法について記載されている。
【先行技術文献】
【特許文献】
【０００５】
【特許文献１】特許第５３７１５６０号公報
【発明の概要】
【発明が解決しようとする課題】
【０００６】
特許文献１のレイアウト編集手法のように、連続するページの境界を跨がないようにオブジェクトが配置された場合に、ページの境界の近傍にオブジェクトが配置されることがある。
【０００７】
例えば、製本のための見開きページ（例えば２ページを含む）内において、２ページ間の境界を跨がず、その近傍にテキストが配置されて印刷・製本が行われたとする。この場合でも、冊子の綴じ方やページの枚数によっては、そのテキストが見えにくくなってしまう場合があった。
【０００８】
本発明は上記課題を鑑みてなされたものである。その目的は、複数の印刷物が綴じられる部分に対応する位置にオブジェクトが配置されず、且つ適切な位置にオブジェクトが配置されるように、オブジェクトの配置を行うことができるレイアウト編集手法を提供することである。
【課題を解決するための手段】
【０００９】
本発明のレイアウト編集装置は、印刷物が綴じられることで製本される場合の、前記印刷物におけるレイアウトを、表示手段に表示されるレイアウト編集領域において編集可能なレイアウト編集装置であって、前記レイアウト編集領域において、オブジェクトの配置を禁止するための配置禁止領域を、前記複数の印刷物が綴じられる部分に対応する位置に、前記製本に関する情報に基づくサイズで決定する決定手段と、前記オブジェクトを、前記決定手段により決定された前記配置禁止領域に重ならないように配置する配置手段と、
を備えることを特徴とすることを特徴とする。
【発明の効果】
【００１０】
本発明のレイアウト編集装置は、複数の印刷物が綴じられる部分に対応する位置にオブジェクトが配置されず、且つ適切な位置にオブジェクトが配置されるように、オブジェクトの配置を行うことができる。
【図面の簡単な説明】
【００１１】
【図１】実施形態１におけるフォトアルバム作成／注文システムの概略構成を示す図である。
【図２】実施形態１におけるＰＣのハードウェア構成例を示す図である。
【図３】実施形態１におけるＰＣのソフトウェア構成例を示す図である。
【図４】実施形態１におけるレイアウト編集画面の例を示す図である。
【図５】実施形態１におけるフルフラットタイプの製本方法を説明する図である。
【図６】実施形態１におけるスタンダードタイプの製本方法を説明する図である。
【図７】実施形態１におけるレイアウト編集の処理手順を示すフローチャートである。
【図８】実施形態１におけるレイアウト編集画面の遷移を示す図である。
【図９】実施形態１の変形例におけるレイアウト編集画面の遷移を示す図である。
【図１０】実施形態２におけるレイアウト編集の処理手順を示すフローチャートである。
【図１１】実施形態２におけるレイアウト編集画面の遷移を示す図である。
【図１２】実施形態２の変形例１を説明する図である。
【図１３】実施形態２の変形例２を説明する図である。
【図１４】実施形態３においてオブジェクトが取り得る最大幅を説明する図である。
【図１５】実施形態４におけるレイアウト編集画面の遷移を示す図である。
【図１６】実施形態５におけるレイアウト編集画面の例を示す図である。
【図１７】実施形態６におけるレイアウト編集画面の遷移を示す図である。
【図１８】実施形態７におけるレイアウト編集画面の遷移を示す図である。
【発明を実施するための形態】
【００１２】
以下、添付図面を参照して本発明の実施形態を詳しく説明する。なお、以下の実施形態は本発明の範囲を限定するものでなく、また本実施形態で説明されている特徴の組み合わせの全てが本発明の解決手段に必須のものとは限らない。
【００１３】
以下の実施形態では、複数の印刷物が綴じられる部分に対応する位置にオブジェクトが配置されず、且つ適切な位置にオブジェクトが配置されるように、オブジェクトの配置を行うことができるレイアウト編集手法を説明する。
【００１４】
例えば、接着剤を用いて印刷物を綴じる「無線綴じ」によって製本された冊子では、各印刷物に接着剤が浸透するため、冊子を見開いたときにページの折り目付近に膨らみが発生してしまう。そのため、冊子の綴じ方やページの枚数などを考慮せずにオブジェクトを配置してしまうと、見開きページの折り目付近に写真やテキストなどが印刷されてしまい、写真やテキストなどが見えにくくなってしまう場合があった。
【００１５】
以下の実施形態では、上記のように、印刷物が綴じられることで写真やテキストが見えにくくなるようにオブジェクトが配置されることを防ぐための技術を説明する。
【００１６】
［実施形態１］
図１は、本実施形態におけるフォトアルバム作成／注文システムの概略構成を示す図である。図１において、情報処理装置１００および２００は、それぞれ一般的なパーソナルコンピュータ（以下、ＰＣと記す場合がある）で構成される。ＰＣ１００、ＰＣ２００は、図２に示されるハードウェアで構成され、ＯＳ(Operating System)としてそれぞれＷｉｎｄｏｗｓ８（登録商標）またはＷｉｎｄｏｗｓ  Ｓｅｒｖｅｒ  ２０１２（登録商標）と同等のＯＳがインストールされている。ＰＣ１００、ＰＣ２００は、それぞれＥｔｈｅｒｎｅｔ（登録商標）で構成されるネットワーク１および２に接続されている。
【００１７】
フォトアルバム作成アプリケーション１１０（以下、単に「アプリケーション１１０」と記す場合がある）は、実行可能形式のファイル（＊．ＥＸＥ）で構成される。情報処理装置１００にフォトアルバム作成アプリケーション１１０が組み込まれることにより、情報処理装置１００は、製本される印刷物のレイアウトを編集可能なレイアウト編集装置として機能する。Ｗｅｂブラウザ１０８は、ＷＷＷ(World Wide Web)の閲覧などに用いられる。ネットワーク１は、ＰＣ１００を使用するユーザ（顧客等）の住居などに構築された一般家庭用のホームネットワークである。ネットワーク２は、事業者のオフィスネットワークである。ネットワーク２に接続されているＰＣ２００は、Ｗｅｂサーバ２０８を含み、インターネットを介して事業者のＷｅｂサイトを提供している。ショッピングサイト２０９は、事業者がユーザ向けにサービスを提供しているショッピングサイトであり、ユーザはショッピングサイト２０９を利用してフォトアルバムを注文することができる。
【００１８】
図２は、本実施形態におけるＰＣのハードウェア構成例を示す図である。ＰＣ１００およびＰＣ２００は、図２に示されるハードウェアで構成される。図２に示される通り、ＰＣ１００およびＰＣ２００は、ランダムアクセスメモリであるＲＡＭ３０１と、ハードディスクドライブであるＨＤＤ３０２と、キーボードやマウスなどの入力機能を担う入力部３０３と、ＰＣ全体の制御を司るＣＰＵ３０４とを有する。ＰＣ１００およびＰＣ２００は、ＬＣＤディスプレイなどの表示部３０５と、ネットワークインターフェースであるＮＩＣ(Netork Interface Card)３０７とをさらに有する。ＰＣ１００およびＰＣ２００は、これらの各ブロックを互いに通信可能に接続するバス３０６を有する。なお、ＨＤＤ３０２は、本実施形態においてＰＣ１００およびＰＣ２００の記憶領域として機能するが、ＣＤ−ＲＯＭなどの可搬性記憶媒体からデータを読み書きする各種ドライブや、フラッシュメモリを用いた記憶領域であってもよい。アプリケーション１１０、Ｗｅｂブラウザ１０８等のアプリケーションや、図３に示される各ソフトウェアモジュールは、例えばＨＤＤ３０２に記憶されたプログラムコードが、必要に応じてＲＡＭ３０１に読み出されてＣＰＵ３０４により実行される。これにより、ＣＰＵ３０４が、アプリケーション１１０、Ｗｅｂブラウザ１０８等のアプリケーションや、図３に示される各ソフトウェアモジュールの機能を実現することができる。
【００１９】
図３は、本実施形態において、ＰＣに搭載されるソフトウェアモジュールの構成例を示す図である。図３に示される通り、ＰＣに搭載されるソフトウェアモジュールは、Ｅｔｈｅｒｎｅｔ制御スタック１０１と、ＩＰ  Ｎｅｔｗｏｒｋ制御スタック１０２と、ＷＳＤ制御スタック１０３とを有する。Ｅｔｈｅｒｎｅｔ制御スタック１０１は、Ｅｔｈｅｒｎｅｔを制御する。ＩＰ  Ｎｅｔｗｏｒｋ制御スタック１０２は、ＩＰ  Ｎｅｔｗｏｒｋを制御する。ＷＳＤ制御スタック１０３は、ネットワーク上のデバイス探索の仕組みを提供するＷＳＤ(Web Service on Device)を制御する。
【００２０】
さらに、ＰＣに搭載されるソフトウェアモジュールは、ＰｎＰ−Ｘ制御スタック１０５と、デバイスドライバ群１０４と、アプリケーション／ＤＤＩインタフェース１０６とを有する。ＰｎＰ−Ｘ制御スタック１０５は、ネットワークのプラグアンドプレイを制御する。なお、ＰｎＰ−Ｘとは、ネットワーク接続デバイスに対するサポートを提供する、プラグアンドプレイの拡張機能である。ＰｎＰ−Ｘは、Ｗｉｎｄｏｗｓ８  ＯＳに標準搭載されている機能であるPlug and Play Extensionsの略称である。デバイスドライバ群１０４は、ＯＳに標準で同梱されている標準ドライバ群と、ＩＨＶ(Independent Hardware Vender)から提供されるＩＨＶ製ドライバ群とを含んで構成される。アプリケーション／ＤＤＩインタフェース１０６は、ＡＰＩ(Application Programming Interface)と、ＤＤＩ(Device Driver Interface)とを含んで構成される。
【００２１】
さらに、ＰＣに搭載されるソフトウェアモジュールは、アプリケーションソフトウェア群１０７を有する。アプリケーションソフトウェア群１０７は、フォトアルバム作成アプリケーション１１０と、Ｗｅｂブラウザ１０８等を含んで構成される。
【００２２】
さらに、フォトアルバム作成アプリケーション１１０は、製本パターン取得部１１１と、配置禁止領域決定部１１２と、オブジェクト移動部１１３と、重なり判定部１１４と、オブジェクト配置部１１５と、警告表示部１１６とを含んで構成される。製本パターン取得部１１１は、フォトアルバムの製本に関する情報である製本パターンを取得する。配置禁止領域決定部１１２は、製本パターン取得部１１１によって取得された製本パターンに基づいて、レイアウト編集領域における配置禁止領域を決定する。オブジェクト移動部１１３は、入力部３０３を介して入力されたユーザの指示に応じてレイアウト編集領域における任意の位置に移動させる。重なり判定部１１４は、オブジェクトの移動先の位置と、配置禁止領域とが重なるか否かを判定する。オブジェクト配置部１１５は、重なり判定部１１４の判定結果に応じて、レイアウト編集領域における所定の位置にオブジェクトを配置する。警告表示部１１６は、オブジェクトの移動先の位置と、配置禁止領域とが重なった場合に、表示部３０５に警告メッセージを表示させる。
【００２３】
図４は、本実施形態において、アプリケーション１１０が表示部３０５に表示させるレイアウト編集画面の例を示す図である。レイアウト編集画面における表示領域４０１は、フォトアルバムの各ページがサムネイル表示されるサムネイル表示領域４０２と、フォトアルバムのページが見開かれた状態で表示されるページ表示領域４０３と、から構成される。サムネイル表示領域４０２において、所望のページに対応するサムネイルが選択されることにより、選択されたサムネイルが選択状態４０４になる。図４に示される画面例では、フォトアルバムの３−４ページに対応するサムネイルが選択状態４０４となっている。選択状態４０４となっている３−４ページは、見開かれた状態でページ表示領域４０３に表示される。
【００２４】
本実施形態のページ表示領域４０３は、カート追加ボタン４０７と、レイアウト編集領域４０９とから構成され、レイアウト編集領域４０９は、さらに写真スロット４０５と、テキストボックス４０６と、配置禁止領域４０８とを含む。レイアウト編集領域４０９は、フォトアルバムの見開かれたページが表示され、入力部３０３を介して入力されたユーザの指示に応じてレイアウト編集を行うことができる領域である。各写真スロット４０５は、写真等の画像（イメージオブジェクト）が配置される領域である。テキストボックス４０６は、テキストが入力可能なインタフェースである。カート追加ボタン４０７は、編集したフォトアルバムをカートに追加するためのボタンである。カート追加ボタン４０７が押下されることにより、編集したフォトアルバムが注文対象としてショッピングサイト２０９にリストされる。配置禁止領域４０８は、テキストボックス４０６を配置することができない領域である。レイアウト編集画面（図４）での編集が完了したフォトアルバムの編集データは、顧客のＰＣ１００から事業者のＰＣ（サーバ）２００にアップロードされ、事業者の画像形成装置（不図示）によって各ページに対応する印刷物が出力される。出力された印刷物は、画像形成装置（不図示）または手作業によって冊子状のフォトアルバムに製本される。
【００２５】
図５および図６は、本実施形態におけるフォトアルバムの製本方法を説明する図であり、図５にはフルフラットタイプの製本方法の詳細が、図６にはスタンダードタイプの製本方法の詳細が示される。
【００２６】
最初に、図５を参照してフルフラットタイプの製本方法について説明する。図５（ａ）において、フォトアルバムの各ページに対応する印刷物が出力される。本実施例では、フォトアルバムに収録される３ページ目と４ページ目とが印刷される。図５（ｂ）において、各ページの点線部分が切り離されることにより、短冊状の領域５０１と、切り離された領域５０２とに分離される。短冊状の領域５０１は、見開いた左右のページを貼り合わせるために必要な領域である。図５（ｃ）において、短冊状の領域５０１と、切り離された領域５０２とがテープ５０３で貼り付けられる。図５（ｄ）において、短冊状の領域５０１と、切り離された領域５０２とは、テープ５０３で貼り付けられた部分で折り返される。図５（ｃ）および図５（ｄ）の工程を全てのページで行い、折り返された全てのページを束ねて短冊状の領域５０１部分をホッチキスなどで留める（図５（ｅ））。図５（ｆ）において、ホッチキスなどで留められたページの束に、カバー（表紙）５０４を接着剤などで貼り付けてフルフラットタイプの製本が完成する。
【００２７】
以上説明したように、フルフラットタイプの製本方法は、各ページを一旦切り離したうえで再度貼り付ける仕組みであるため、どのページを開いても、見開きページの折り目付近に発生する膨らみをある程度抑制することができる。
【００２８】
また、ページがフラットに開かれるようにするため、背表紙５０５から一定の幅５０７だけ離れた点線部分５０８から表紙が開閉されるように、カバー５０４の点線部分５０８に折り目が付けられる。点線部分５０８と重なる領域にテキストが印刷されると、カバー５０４が開閉された際に、カバー５０４に印刷されたテキストが折込まれてしまい、テキストが見えにくくなってしまう。そのため、レイアウト編集の際に、カバー５０４における配置禁止領域４０８は、背表紙の幅５０６と一定の幅５０７とを足した長さの幅を有する（図５（ｈ））。これは、見開きページ（例えば３−４ページ）のレイアウト編集領域４０９に設定される、配置禁止領域４０８（図５（ｉ））と比較して小さい幅となる。
【００２９】
次に、図６を参照してスタンダードタイプの製本方法について説明する。図６（ａ）において、フォトアルバムの各ページが出力される。本実施例では、フォトアルバムに収録される１ページ目−８ページ目が出力される。図６（ｂ）において、図６（ａ）において出力した各ページと、表紙６０１とを、接着剤６０２を用いて綴じることにより、スタンダードタイプの製本が完成する。スタンダードタイプの製本方法は、ページ同士およびページと表紙とを接着剤を用いて綴じる仕組みであるため、各ページに接着剤が少なからず浸透してしまう。そのため、見開きページの折り目付近に発生する膨らみが、フルフラットタイプの製本方法のものよりも大きくなってしまう。
【００３０】
図７は、本実施形態におけるレイアウト編集の処理手順を示したフローチャートである。なお、図７に示されるフローチャートによる処理は、ＨＤＤ３０２などの記憶領域に格納されたプログラムコードが展開され、ＣＰＵ３０４によって実行される。以降で記す記号Ｓは、フローチャートにおけるステップであることを意味する。
【００３１】
Ｓ１０１において、入力部３０３は、フォトアルバムの種類の選択をユーザから受け付ける。本実施形態において、フォトアルバムの綴じ方、フォトアルバムに綴じられる印刷物の枚数（フォトアルバムのページ数）、印刷物のサイズ、印刷物の用紙の種類などの選択を受け付けることにより、ユーザ所望のフォトアルバムの種類が決定される。
【００３２】
Ｓ１０２において、入力部３０３は、フォトアルバムに収録される写真の選択を受け付ける。例えば、ＨＤＤ３０２などの記憶領域に作成されたピクチャフォルダに写真が保存されている場合、ピクチャフォルダの指定を受け付けることにより、フォトアルバムに収録される写真の選択を受け付けることができる。なお、ピクチャフォルダが作成される記憶領域は、ユーザが使用するＰＣ１００のＨＤＤ３０２であってもよいし、サーバ側となるＰＣ２００のＨＤＤ３０２であってもよく、その他の記憶領域が指定されてもよい。
【００３３】
Ｓ１０３において、アプリケーション１１０は、フォトアルバムの作成を開始する。本実施形態において、アプリケーション１１０は、Ｓ１０１で選択されたフォトアルバムの種類と、Ｓ１０２で選択された写真とに応じて、写真を配置するためのテンプレートを作成し、作成したテンプレートに写真を配置する。作成したテンプレートへの写真の配置が決まると、写真が配置されたテンプレートに基づいて生成されるレイアウト編集画面（図４）が表示部３０５に表示される。本実施形態のアプリケーション１１０は、表示部３０５にレイアウト編集画面（図４）を表示しつつ、入力部３０３を介して、写真が配置されたテンプレートに対する修正操作をユーザから受け付けることができる。なお、Ｓ１０３において、アプリケーション１１０が、テンプレートの作成および写真の配置を行う実施例を説明したが、実施例はこれに限定されない。テンプレートの作成操作、および作成したテンプレートへの写真の配置操作などを、ユーザの手動操作によって行われてもよい。
【００３４】
Ｓ１０４において、製本パターン取得部１１１は、フォトアルバムの製本に関する情報である製本パターンを取得する。製本に関する情報とは、フォトアルバムをどのような形式で製本するかを規定する情報であり、Ｓ１０１で選択を受け付けたフォトアルバムの綴じ方、フォトアルバムに綴じられる印刷物の枚数、印刷物のサイズ、印刷物の用紙の種類などを示す情報が相当する。本実施形態では、Ｓ１０４において、ユーザから選択を受け付けたフォトアルバムの種類に対応する製本パターンが取得されるが、ＨＤＤ３０２などの記憶領域から予め定められた製本パターンを読み出してもよい。
【００３５】
Ｓ１０５において、配置禁止領域決定部１１２は、Ｓ１０４で取得された製本パターンに基づいて、レイアウト編集領域４０９における配置禁止領域を決定する。ここで、本実施形態の配置禁止領域とは、フォトアルバムを実際に製本した際に、その領域に写真やテキストが配置されると、写真やテキストが見えにくくなってしまう領域のことを指す（図４）。
【００３６】
なお、配置禁止領域は、図４に示したように、見開きページ内の複数ページ間の境界を含む位置に決定される。さらにＳ１０５による処理により、複数の製本パターンのうち、Ｓ１０４で取得された製本パターンに応じて異なる幅の種々の配置禁止領域が決定される。配置禁止領域の幅については図８を用いて後述する。
【００３７】
Ｓ１０６において、入力部３０３は、移動対象となるテキストボックスの選択を受け付ける。
【００３８】
Ｓ１０７において、オブジェクト移動部１１３は、Ｓ１０６で選択を受け付けたテキストボックスを、レイアウト編集領域４０９における任意の位置に移動させる。本実施形態では、テキストボックスの初期位置はテンプレートに依存するため、Ｓ１０３でテンプレートが決定されると、レイアウト編集領域４０９テキストボックスの位置およびサイズは自動的に決定されるものとする。このように自動決定した初期位置からレイアウト編集領域４０９の任意の位置にテキストボックスを移動させるため、入力部３０３は移動操作をユーザから受け付けることができる。
【００３９】
Ｓ１０８において、重なり判定部１１４は、テキストボックスの移動先の位置と、配置禁止領域４０８とが重なるか否かを判定する。テキストボックスの移動先の位置と、配置禁止領域４０８とが重ならないと判定された場合（Ｓ１０８：ＮＯ）、オブジェクト配置部１１５は、Ｓ１０７で指定された移動先にテキストボックスを配置する（Ｓ１０９）。一方、テキストボックスの移動先の位置と、配置禁止領域４０８とが重なると判定された場合（Ｓ１０８：ＹＥＳ）、オブジェクト配置部１１５は、テキストボックスを配置禁止領域４０８と重ならないように配置する（Ｓ１１０）。Ｓ１１０におけるテキストボックスの具体的な配置手法は、図８以降を参照して後述する。
【００４０】
なお、本フローチャートでは、Ｓ１０４〜Ｓ１０５をＳ１０３の後に実行しているが、Ｓ１０１の後かつＳ１０８の前で実行されてもよい。また、本実施形態では、テキストボックスの移動先の位置と、配置禁止領域４０８とが重なるか否かが判定されたが、別実施形態では、ユーザ操作によって任意に追加されたテキストボックスと、配置禁止領域４０８とが重なるかが判定されてもよい。また、判定対象となるオブジェクトの種類も、テキストボックスだけではなく、写真やイラストなどのイメージオブジェクトや、図形などの図形オブジェクトであってもよい。
【００４１】
図８は、本実施形態におけるレイアウト編集画面の遷移を示す図である。図８（ａ）（ｂ）は、フルフラットタイプのフォトアルバムのレイアウト編集画面において、テキストボックス４０６が配置禁止領域４０８上に移動されてから、配置禁止領域４０８と重ならない位置に配置されるまでの画面遷移を示している。また、図８（ｃ）（ｄ）は、スタンダードタイプのフォトアルバムのレイアウト編集画面において、テキストボックス４０６が配置禁止領域４０８上に移動されてから、配置禁止領域４０８と重ならない位置に配置されるまでの画面遷移を示している。
【００４２】
図８（ａ）〜図８（ｄ）に示される通り、フルフラットタイプと、スタンダードタイプとで、レイアウト編集領域４０９における配置禁止領域４０８のサイズ（図８における横幅）が異なる。図５で説明した通り、フルフラットタイプのフォトアルバムは、見開きページの折り目付近に発生する膨らみをある程度抑制することができるため、ページを見開いたときに折り目によってテキストが見えにくくなるということは少ない。ただし、左右のページに対応する印刷物を切り離して、切り離した印刷物をテープなどで貼り付けるため、印刷物を切り離す際や貼り付ける際に少なからずテキストが切れたりずれたりするおそれがある。このようなテキストの切れやずれを避けるため、テキストボックス４０６を配置できない配置禁止領域４０８が設けられる。
【００４３】
一方、スタンダードタイプの配置禁止領域４０８のサイズは、フルフラットタイプの配置禁止領域４０８のサイズよりも大きい（横幅が広い）。これは、図６で説明した通り、スタンダードタイプのフォトアルバムは、見開きページの折り目に膨らみが発生するため、見開きページの折り目付近にテキストが配置された場合、テキストが見えにくくなってしまうためである。このように、製本される印刷物（ページ）の枚数が同じであっても、製本パターンに応じて、レイアウト編集領域における配置禁止領域４０８のサイズ（図８における横幅）が変わる。
【００４４】
なお、配置禁止領域４０８の、図８における縦幅は、製本パターンの違いによる影響が横幅よりも少ないため、レイアウト編集領域における最大高さで一定である。ただし、種々の条件において配置禁止領域４０８の縦幅が変更されてもよい。また本実施形態において、フォトアルバムのサイズが変わった場合、フォトアルバムの高さに応じて、配置禁止領域４０８の高さが変更される。
【００４５】
また本実施形態において、フォトアルバムのサイズが変わっても、配置禁止領域４０８の幅を変えなくてもよい。例えばフォトアルバムの見開きページのサイズがＡ４の場合とＡ３の場合があったとする。いずれの場合であっても、印刷部の綴じよりオブジェクトが隠れてしまう可能性がある領域に大きな違いはない。そのため、見開きページのサイズがＡ４の場合とＡ３の場合のいずれであっても、製本パターンが同一であれば、配置禁止領域４０８の幅を変えず、一定であってもよい。
【００４６】
例えば、見開きページのサイズがＡ３の場合の配置禁止領域を、見開きページのサイズがＡ４の場合の単純に２倍であるとすると、本来は配置を禁止する必要の無い領域も、配置禁止領域に含まれてしまう場合がある。そこで、見開きページのサイズ（印刷物のサイズ）によらず、配置禁止領域のサイズが一定にされてもよい。或いは、見開きページのサイズがＡ４からＡ３に変更された場合、配置禁止領域のサイズの変倍率を、変更前後の見開きページのサイズの比率（上記例では２倍）よりも小さくすることでも、同様の効果を得ることができる。
【００４７】
本実施形態では、フォトアルバムの綴じ方に基づいて、レイアウト編集領域における配置禁止領域４０８が決定される実施例について説明した。別実施例では、フォトアルバムのページ数などに基づいて、レイアウト編集領域における配置禁止領域４０８を決定してもよい。例えば、スタンダードタイプの綴じ方が選択されていた場合、フォトアルバムのページ数が多ければ多いほどテキストが見えにくくなる領域が拡がるため、フォトアルバムのページ数に応じて配置禁止領域４０８のサイズを変更してもよい。
【００４８】
図８（ａ）に示されるように、オブジェクト移動部１１３は、テキストボックス４０６をレイアウト編集領域４０９における所定の位置に移動させる。オブジェクト配置部１１５は、テキストボックス４０６の移動先の位置と、配置禁止領域４０８とが重なる場合、図８（ｂ）に示されるように、テキストボックス４０６を配置禁止領域４０８と重ならない位置に配置する。本実施形態において、テキストボックス４０６の移動先の位置と、配置禁止領域４０８とが重なる場合、オブジェクト配置部１１５は、テキストボックス４０６の水平方向の中点の位置に基づいて、テキストボックス４０６の配置位置を決定する。例えば、オブジェクト配置部１１５は、テキストボックス４０６の水平方向の中点の位置が、レイアウト編集領域４０９の中点より右側にあれば、テキストボックス４０６を右側にスライドさせる。同様に、オブジェクト配置部１１５は、テキストボックス４０６の水平方向の中点の位置が、レイアウト編集領域４０９の中点より左側にあればテキストボックス４０６を左側にスライドさせる。さらに、テキストボックス４０６をスライドさせると写真スロット４０５と重なる場合、オブジェクト配置部１１５は、テキストボックス４０６を写真スロット４０５と逆側にスライドさせてもよい。左右のどちらにスライドさせても写真スロット４０５と重なる場合、移動前の位置に戻してもよい。
【００４９】
図８（ｃ）（ｄ）は、図８（ａ）（ｂ）と配置禁止領域４０８のサイズが異なる場合において、オブジェクト配置部１１５が、テキストボックス４０６を配置禁止領域４０８と重ならない位置に配置する際の画面遷移例を示したものである。
【００５０】
（変形例）
図９は、実施形態１の変形例を説明する図である。図９（ａ）（ｂ）は、フォトアルバムのレイアウト編集画面において、警告メッセージ４１１が表示されてから、テキストボックス４０６が配置禁止領域４０８と重ならない位置に配置されるまでの画面遷移を示している。本実施形態において、警告表示部１１６は、テキストボックス４０６の移動先の位置と、配置禁止領域４０８とが重なった場合に、表示部３０５に警告メッセージ４１１を表示させることができる。図９に示される警告メッセージ４１１のＯＫボタンが押下されると、オブジェクト配置部１１５は、テキストボックス４０６を配置禁止領域４０８と重ならないように配置する。
【００５１】
以上説明した通り、本実施形態のレイアウト編集手法では、フォトアルバムの綴じ方やページの枚数などを考慮して、レイアウト編集領域におけるオブジェクトの配置を行うことができる。かかる構成により、製本された冊子の見開きページにおいて、写真やテキストが見やすい位置に印刷された印刷出力物を得ることができる。
【００５２】
［実施形態２］
実施形態１では、テキストボックス４０６の移動先の位置と、配置禁止領域４０８とが重なると判定された場合、オブジェクト配置部１１５は、テキストボックスを配置禁止領域４０８と重ならないように配置した。本実施形態では、テキストボックス４０６のテキスト領域と、配置禁止領域４０８とが重なると判定された場合、オブジェクト配置部１１５は、テキストボックス４０６を、テキスト領域が配置禁止領域４０８と重ならないように配置することができる。ここで、テキストボックス４０６のテキスト領域とは、入力部３０３への入力操作を介してテキストボックス４０６内に入力されたテキストが配置される領域を指す。このようなテキストボックスに含まれるテキストは、オブジェクトの要素の一例であると言える。
【００５３】
図１０は、本実施形態におけるレイアウト編集の処理手順を示したフローチャートである。なお、図１０に示されるフローチャートによる処理は、ＨＤＤ３０２などの記憶領域に格納されたプログラムコードが展開され、ＣＰＵ３０４によって実行される。Ｓ１０１〜Ｓ１０７は、図７と同様の処理が行われるため説明を省略する。
【００５４】
Ｓ２０１において、重なり判定部１１４は、移動先のテキストボックス４０６のテキスト領域と、配置禁止領域４０８とが重なるか否かを判定する。テキスト領域と、配置禁止領域４０８とが重ならないと判定された場合（Ｓ２０１：ＮＯ）、オブジェクト配置部１１５は、Ｓ１０７で指定された移動先にテキストボックスを配置する（Ｓ１０９）。一方、テキスト領域と、配置禁止領域４０８とが重なると判定された場合（Ｓ２０１：ＹＥＳ）、オブジェクト配置部１１５は、テキスト領域が配置禁止領域４０８と重ならないようにテキストボックス４０６を配置する（Ｓ２０２）。Ｓ２０２におけるテキストボックスの具体的な配置手法は、図１１以降を参照して後述する。
【００５５】
図１１は、本実施形態におけるレイアウト編集画面の遷移を示す図である。図１１（ａ）（ｂ）は、レイアウト編集画面において、テキストボックス４０６が配置禁止領域４０８上に移動されてから、移動先の位置にそのまま配置されるまでの画面遷移を示している。また、図１１（ｃ）（ｄ）は、レイアウト編集画面において、配置禁止領域４０８上に移動されてから、テキスト領域４１０と配置禁止領域４０８とが重ならないように、テキストボックス４０６が配置されるまでの画面遷移を示している。
【００５６】
図１１（ａ）に示されるように、オブジェクト移動部１１３は、テキストボックス４０６をレイアウト編集領域４０９における所定の位置に移動させる。テキストボックス４０６の移動先の位置は、配置禁止領域４０８と重なるが、テキスト領域４１０は配置禁止領域４０８とは重ならない。そのため、図１１（ｂ）に示されるように、オブジェクト配置部１１５は、テキストボックス４０６を移動先の位置にそのまま配置する。
【００５７】
一方、図１１（ｃ）に示されるように、オブジェクト移動部１１３は、テキストボックス４０６をレイアウト編集領域４０９における所定の位置に移動させる。テキストボックス４０６の移動先の位置は、テキスト領域４１０が配置禁止領域４０８と重なってしまう。そのため、図１１（ｄ）に示されるように、オブジェクト配置部１１５は、テキストボックス４０６を、テキスト領域４１０が配置禁止領域４０８と重ならないように配置する。
【００５８】
（変形例１）
図１２は、実施形態２の変形例１を説明する図である。図１２（ａ）（ｂ）（ｃ）は、テキストボックス４０６のテキストが編集されることに応じて、テキストボックス４０６を、テキスト領域４１０と配置禁止領域４０８とが重ならないように配置する際の画面遷移例を示したものである。
【００５９】
一般的なレイアウト編集アプリケーションは、テキストボックス４０６におけるテキスト領域４１０を左寄せ、中央寄せ、右寄せのいずれかで配置させる機能を有する。まず、図１２（ａ）に示されるように、オブジェクト移動部１１３が、テキストボックス４０６をレイアウト編集領域４０９の所定の位置に移動させたとする。ここでは、テキスト領域４１０は中央寄せの状態である。このとき、テキスト領域４１０と配置禁止領域４０８とは重なっていないため、オブジェクト配置部１１５は、テキストボックス４０６を移動先の位置にそのまま配置する。即ち、テキストボックス４０６の全体ではなく、その一部であるテキスト領域４１０が、配置禁止領域４０８への配置が禁止されるオブジェクトとして処理が行われる。
【００６０】
次に、図１２（ｂ）に示されるように、アプリケーション１１０は、入力部３０３への操作に応じて、テキスト領域４１０の位置を中央寄せから左寄せに変更したとする。テキストを左寄せにするとテキスト領域４１０が配置禁止領域４０８と重なるため、図１２（ｃ）に示されるように、オブジェクト配置部１１５は、テキストボックス４０６を、テキスト領域４１０と配置禁止領域４０８とが重ならないように配置する。
【００６１】
上記例では、テキスト領域４１０の位置を変更する場合を例に説明したが、実施例はこれに限定されない。テキストの大きさやフォントの種類を変更するなどのテキスト編集機能によって、テキスト領域４１０が配置禁止領域４０８と重なった場合でも、上記と同様の手法を適用することができる。
【００６２】
（変形例２）
図１３は、実施形態２の変形例２を説明する図である。図１３（ａ）（ｂ）は、配置禁止領域４０８上に移動されてから、テキストの間隔を広げることにより、テキスト領域４１０と配置禁止領域４０８とが重ならないように、テキストボックス４０６が配置されるまでの画面遷移を示している。
【００６３】
図１３（ａ）に示されるように、オブジェクト移動部１１３は、テキストボックス４０６をレイアウト編集領域４０９における所定の位置に移動させる。テキストボックス４０６の移動先の位置は、配置禁止領域４０８と重なり、かつ、テキスト領域４１０も配置禁止領域４０８とは重なってしまう。そのため、図１３（ｂ）に示されるように、オブジェクト配置部１１５は、テキスト領域４１０に含まれるテキストにおいて文字の間隔を拡げることにより、テキストが配置禁止領域４０８と重ならないように、テキストボックス４０６を配置する。即ち、テキストボックス４０６の全体ではなく、その一部であるテキスト領域４１０内のテキストが、配置禁止領域４０８への配置が禁止されるオブジェクトとして処理が行われる。
【００６４】
本変形例では、テキストボックス４０６におけるテキストの配置を調整する例について説明したが、オブジェクト配置部１１５は、写真やイラストなどのイメージオブジェクトの配置を調整してもよい。また、イメージオブジェクトの移動先の位置が、配置禁止領域４０８に跨っていたとしても、イメージオブジェクトの重要な要素が配置禁止領域４０８と重なっていなければ、イメージオブジェクトの配置を調整しなくてもよい。つまり、重なり判定部１１４は、イメージオブジェクトの重要な要素と、配置禁止領域４０８とが重なるか否かを判定してもよい。
【００６５】
以上説明した通り、本実施形態のレイアウト編集手法では、実施形態１の効果に加えて、製本された冊子の見開きページにおいて、見やすい位置に写真やテキストを印刷させるだけでなく、ユーザの意図に即した印刷出力物を得ることができる。
【００６６】
［実施形態３］
上述の実施形態では、テキストボックス４０６の移動先の位置が、配置禁止領域４０８と重なるか否かの判定を行っていた。一般的なレイアウト編集アプリケーションでは、オブジェクトを移動させるだけではなく、オブジェクトの追加やオブジェクトのサイズ変更なども行うことができる。そこで、本実施形態では、テキストボックス４０６の追加やサイズ変更などを行う場合に、テキストボックス４０６の最大値を決定する手法について説明する。
【００６７】
図１４は、本実施形態において、テキストボックス４０６が取り得る最大幅を説明する模式図である。図１４に示されるように、フォトアルバムの見開きページの長さをＷ１、配置禁止領域４０８の幅の長さをＷ２とする。もし、テキストボックス４０６の最大幅値が（Ｗ１−Ｗ２）／２を超える場合、テキストボックス４０６をレイアウト編集領域４０９のいずれに配置しても、テキストボックス４０６は配置禁止領域４０８と重なってしまう。以上より、追加またはサイズ変更されたテキストボックス４０６の最大幅値は、レイアウト編集領域４０９の幅から配置禁止領域４０８の幅を差し引いた値の半分の値である。
【００６８】
以上説明した通り、本実施形態のレイアウト編集手法では、上述の実施形態の効果に加えて、オブジェクトの配置において煩雑な処理や操作を行う事なく、写真やテキストが見やすい位置に印刷された印刷出力物を得ることができる。
【００６９】
［実施形態４］
図１５は、本実施形態におけるレイアウト編集画面の遷移を示す図である。図１５（ａ）（ｂ）は、レイアウト編集画面において、写真スロット４０５が配置禁止領域４０８上に移動されてから、移動先の位置にそのまま配置されるまでの画面遷移を示している。
【００７０】
図１５（ａ）に示されるように、オブジェクト移動部１１３は、写真スロット４０５をレイアウト編集領域４０９における所定の位置に移動させる。写真スロット４０５の移動先の位置は、配置禁止領域４０８と重なるが、図１５（ｂ）に示されるように、オブジェクト配置部１１５は、写真スロット４０５を移動先の位置にそのまま配置する。このように、オブジェクト配置部１１５は、配置対象となるオブジェクトの種類を判定し、当該判定結果に基づいて移動先の位置にオブジェクトをそのまま配置するか否かを決定してもよい。
【００７１】
例えば図１５に示した例では、テキストボックスが配置禁止領域４０８に重なって配置されることは禁止されるが、イメージオブジェクト（写真、または画像）が配置禁止領域４０８に重なって配置されることは許容される。
【００７２】
以上説明した通り、本実施形態のレイアウト編集手法では、上述の実施形態の効果に加えて、写真やテキストなどのそれぞれの特徴を考慮して、写真やテキストがそれぞれ見やすい位置に印刷された印刷出力物を得ることができる。
【００７３】
［実施形態５］
図１６は、本実施形態におけるレイアウト編集画面の例を示す図である。本実施形態では、配置禁止領域４０８のサイズが、フォトアルバムの綴じ方だけでなく、フォトアルバムのページ数も考慮して決定される。
【００７４】
図１６（ａ）は、フルフラットタイプのフォトアルバムのページ数が２０ページに指定される場合のレイアウト編集画面であり、図１６（ｂ）は、フルフラットタイプのフォトアルバムのページ数が６０ページに指定される場合のレイアウト編集画面である。図１６（ａ）と図１６（ｂ）のレイアウト編集画面を比較すると、配置禁止領域４０８のサイズは変わらない。これは図５で説明した通り、フルフラットタイプで製本された場合、見開きページの折り目付近の膨らみが抑制され、ページ数の多少は配置禁止領域４０８のサイズに影響を及ぼさないからである。
【００７５】
図１６（ｃ）は、スタンダードタイプのフォトアルバムのページ数が２０ページに指定されるときのレイアウト編集画面であり、図１６（ｄ）は、スタンダードタイプのフォトアルバムのページ数が６０ページに設定されるときのレイアウト編集画面である。図１６（ｃ）と図１６（ｄ）のレイアウト編集画面を比較すると、ページ数が多い図１６（ｄ）における配置禁止領域４０８のサイズの方が大きい。これは図６で説明した通り、スタンダードタイプで製本された場合、ページ数が多ければ多いほど、見開きページの折り目付近の膨らみが大きくなり、テキストの印刷に不適な領域が増えるためである。すなわち、スタンダードタイプで製本されたフォトアルバムでは、ページ数の多少は配置禁止領域４０８のサイズに影響を及ぼすことになる。
【００７６】
以上説明した通り、本実施形態のレイアウト編集手法では、上述の実施形態の効果に加えて、製本された冊子の見開きページにおいて、冊子のページ数に関わらず、写真やテキストが見やすい位置に印刷された印刷出力物を得ることができる。
【００７７】
［実施形態６］
図１７は、本実施形態におけるレイアウト編集画面の遷移を示す図である。図１７（ａ）（ｂ）は、フォトアルバムのレイアウト編集画面において、テキストボックス４０６が配置禁止領域４０８上に移動されてから、配置禁止領域４０８および写真スロット４０５と重ならない位置に配置されるまでの画面遷移を示している。
【００７８】
図１７（ａ）に示されるように、テキストボックス４０６の中点が、レイアウト編集領域４０９の右側に位置している。オブジェクト配置部１１５は、通常であればテキストボックス４０６をレイアウト編集領域４０９の右側に配置する。しかしながら、レイアウト編集領域４０９の右側に配置した場合、テキストボックス４０６が写真スロット４０５と重なってしまう。これを回避するために、図１７（ｂ）では、テキストボックス４０６がレイアウト編集領域４０９の左側に配置されている。
【００７９】
以上説明した通り、本実施形態のレイアウト編集手法では、上述の実施形態の効果に加えて、製本された冊子の見開きページにおいて、写真やテキストがそれぞれ重なることを抑制しつつ、見やすい位置に写真やテキストを印刷させることができる。
【００８０】
［実施形態７］
図１８は、本実施形態におけるレイアウト編集画面の遷移を示す図である。図１８（ａ）（ｂ）は、フォトアルバムのレイアウト編集画面において、テキストボックス４０６が配置禁止領域４０８上に移動されてから、配置禁止領域４０８と重ならない位置に配置されるまでの画面遷移を示している。また、本実施形態のレイアウト編集画面において、写真スロット４０５は、フォトアルバムのレイアウト編集領域４０９の全面にわたって配置されている。
【００８１】
図１８（ａ）（ｂ）に示されるように、写真スロット４０５は、レイアウト編集領域４０９の全面に背景として配置される場合があるため、オブジェクト配置部１１５は、写真スロット４０５と配置禁止領域４０８とが重なるように配置することができる。一方、テキストボックス４０６の移動先の位置と、配置禁止領域４０８とが重なる場合、図１８（ｂ）に示されるように、オブジェクト配置部１１５は、テキストボックス４０６を配置禁止領域４０８と重ならない位置に配置する。すなわち、本実施形態のオブジェクト配置部１１５は、配置対象となるオブジェクトの種類を判定し、当該判定結果に応じて、オブジェクトを移動先の位置にそのまま配置するか、配置禁止領域４０８と重ならない位置に配置するかを決定することができる。
【００８２】
図１８では、テキストボックスが配置禁止領域４０８に重なって配置されることは禁止されるが、イメージオブジェクト（写真、または画像）が配置禁止領域４０８に重なって配置されることは許容される。
【００８３】
以上説明した通り、本実施形態のレイアウト編集手法では、上述の実施形態の効果に加えて、製本された冊子の見開きページにおいて、見やすい位置に写真やテキストを印刷させるだけでなく、ユーザの意図に即した印刷出力物を得ることができる。
【００８４】
なお、以上の実施形態では、複数の見開きページが複数の印刷物として印刷され、見開きページ内のページ境界において印刷物が折られ、綴じられることで、製本が行われる例を示した。しかしこれに限らず、例えば複数の印刷物の左右端、上下端等の端部において該複数の印刷物が綴じられてもよい。この場合、以上の実施形態により、オブジェクトの配置が禁止される配置禁止領域を、その端部に対応する位置に、製本に関する情報（製本パターン）に応じたサイズで決定することができる。
【００８５】
［その他の実施例］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018019330.tif 000003
【図２】
2018019330.tif 000004
【図３】
2018019330.tif 000005
【図４】
2018019330.tif 000006
【図５】
2018019330.tif 000007
【図６】
2018019330.tif 000008
【図７】
2018019330.tif 000009
【図８】
2018019330.tif 000010
【図９】
2018019330.tif 000011
【図１０】
2018019330.tif 000012
【図１１】
2018019330.tif 000013
【図１２】
2018019330.tif 000014
【図１３】
2018019330.tif 000015
【図１４】
2018019330.tif 000016
【図１５】
2018019330.tif 000017
【図１６】
2018019330.tif 000018
【図１７】
2018019330.tif 000019
【図１８】
2018019330.tif 000020